(57)【特許請求の範囲】
【請求項１】
建築構造物の側壁に側壁の一部を構成するように設けて、プランタで植栽した植物を飾ることができる建築構造物用プランタユニットであって、
正面板(11)、側面板(12,13)、背面板(14)を有し、所要形状に形成されたＦＲＰ製の胴部(1)と、
胴部(1)の正面板(11)から背面板(14)側へ貫通して設けられている窓部(2)と、
窓部(2)の下部側または底部側に設けられており、植物を植栽するための所要数の窓部プランタ(3)と、
胴部(1)の上部に設けられ、全周にわたりフランジ部(40)が張り出して設けてあり、フランジ部(40)の垂下部(40a)の内面と正面板(11)の外面との間に隙間(41)が設けられている上部プランタ(4)と、
窓部プランタ(3)と上部プランタ(4)の内部に溜まった水をユニット外部へ排出するための排水装置(5)と、
を備えており、
胴部(1)は、窓部(2)を除く部分が中空形状に形成されていることを特徴とする、
建築構造物用プランタユニット。
【請求項２】
建築構造物の側壁に側壁の一部を構成するように設けて、プランタで植栽した植物を飾ることができる建築構造物用プランタユニットであって、
正面板(11b)、側面板(12,13)、背面板(14)を有し、所要形状に形成されたＦＲＰ製の胴部(1)と、
胴部(1)の正面板(11b)から背面板(14)側へ貫通して設けられている窓部(2)と、
窓部(2)の下部側または底部側に設けられており、植物を植栽するための所要数の窓部プランタ(3)と、
窓部プランタ(3)の内部に溜まった水をユニット外部へ排出するための排水装置(5)と、を備えており、
胴部(1)は、窓部(2)を除く部分が中空形状に形成されていることを特徴とする、
建築構造物用プランタユニット。
【請求項３】
窓部プランタ(3)または上部プランタ(4)は着脱自在であることを特徴とする、
請求項１または２記載の建築構造物用プランタユニット。
【請求項４】
窓部(2)に格子(23,23b)が設けられていることを特徴とする、
請求項１、２または３記載の建築構造物用プランタユニット。
【請求項５】
建築構造物に取り付けるための取付手段または取付補助手段(6)を備えていることを特徴とする、
請求項１、２、３または４記載の建築構造物用プランタユニット。
【請求項６】
請求項１、２、３、４または５記載の建築構造物用プランタユニットが建築構造物の一部を構成するように設けられていることを特徴とする、
建築構造物。
【発明の詳細な説明】
【０００１】
【発明の属する技術分野】
本発明は建築構造物用プランタユニットおよびそれを備えた建築構造物に関するものである。更に詳しくは、ベランダの手摺りや庭を囲む塀等に埋め込むように、または一部に組み込まれて施工される建築構造物用プランタユニットおよびそれを備えた建築構造物に関する。
【０００２】
【従来技術】
家の周囲の庭やベランダに、果樹、野菜、あるいは花等の観賞用植物を植栽する、いわゆるガーデニングを行う家庭が増えてきた。また、ガーデニングは精神的な疲れや病を癒す効果があるといわれており、近年、更に注目されてきている。
ガーデニングには、例えばプランタや植木鉢をいくつか使用して花等を植栽するごく簡単なものから、木製棚等の施設をつくって行うかなり大掛かりなものまで、様々な規模で行われている。
【０００３】
例えば、ベランダに鉢やプランタを置いてガーデニングを行う場合、鉢やプランタが邪魔になって他の用途に使いにくくなるばかりでなく、排水で床面または設置面が汚れたり、側壁の影になって日当たりが悪かったりするので、近年では、ベランダの側壁や庭を囲む塀にプランタを取り付けて、側壁を花等の植栽物で飾ることも行われるようになってきた。
側壁を花等で飾る場合においては、側壁を施工するときまたは施工後に、側壁の内面側か外面側に、プランタを嵌め込んだり載せたりする部分またはプランタそのものをつくり付けていた。更には、鉢を側壁の外面側等に吊り下げて飾ることも行われていた。
【０００４】
【発明が解決しようとする課題】
しかしながら、上記のようにして側壁を花等で飾る方法または構造には、次のような課題があった。
側壁に、プランタを嵌め込んだり載せたりする部分またはプランタそのものをつくり付ける場合は、施工に相当な手間がかかるので、施工時間が長くなり、施工費用も高くなっていた。更に、側壁に鉢を吊り下げる方法は、強風などで落下する危険性が高く、安全性の面で問題があった。
【０００５】
また、側壁に設けられるプランタは、側壁の内面側か外面側に設けられるが、そのほとんどは、飾った花等を側壁の内側で楽しむことができるように内面側に設けられていた。つまり、側壁に飾られた花等は、外部側からは見ることができず、まして、側壁の内部側と外部側から同時に楽しむことなどはできなかった。
【０００６】
（本発明の目的）
本発明の目的は、上記建築構造物用プランタユニットの施工にあたって、作業が容易にできて短時間での施工が可能であり、施工費用も安価にできる建築構造物用プランタユニットおよび建築構造物を提供することである。
【０００７】
本発明の他の目的は、建物等の建築構造物に花等の自然の植物を植栽して落下の危険がないようにして飾ることができ、しかも側壁の内部側からと外部側から花等の美しさを楽しむことができる建築構造物用プランタユニットおよび建築構造物を提供することである。
【０００８】
【課題を解決するための手段】
上記課題を解決するために講じた本発明の手段は次のとおりである。
第１の発明にあっては、
建築構造物の側壁に側壁の一部を構成するように設けて、プランタで植栽した植物を飾ることができる建築構造物用プランタユニットであって、
正面板、側面板、背面板を有し、所要形状に形成されたＦＲＰ製の胴部と、
胴部の正面板から背面板側へ貫通して設けられている窓部と、
窓部の下部側または底部側に設けられており、植物を植栽するための所要数の窓部プランタと、
胴部の上部に設けられ、全周にわたりフランジ部が張り出して設けてあり、フランジ部の垂下部の内面と正面板の外面との間に隙間が設けられている上部プランタと、
窓部プランタと上部プランタの内部に溜まった水をユニット外部へ排出するための排水装置と、
を備えており、
胴部は、窓部を除く部分が中空形状に形成されていることを特徴とする、
建築構造物用プランタユニットである。
【０００９】
第２の発明にあっては、
建築構造物の側壁に側壁の一部を構成するように設けて、プランタで植栽した植物を飾ることができる建築構造物用プランタユニットであって、
正面板、側面板、背面板を有し、所要形状に形成されたＦＲＰ製の胴部と、
胴部の正面板から背面板側へ貫通して設けられている窓部と、
窓部の下部側または底部側に設けられており、植物を植栽するための所要数の窓部プランタと、
窓部プランタの内部に溜まった水をユニット外部へ排出するための排水装置と、
胴部は、窓部を除く部分が中空形状に形成されていることを特徴とする、
建築構造物用プランタユニットである。
【００１０】
第３の発明にあっては、
窓部プランタまたは上部プランタは着脱自在であることを特徴とする、
第１または第２の発明に係る建築構造物用プランタユニットである。
【００１１】
第４の発明にあっては、
窓部に格子が設けられていることを特徴とする、
第１、第２または第３の発明に係る建築構造物用プランタユニットである。
【００１２】
第５の発明にあっては、
建築構造物に取り付けるための取付手段または取付補助手段を備えていることを特徴とする、
第１、第２、第３または第４の発明に係る建築構造物用プランタユニットである。
【００１３】
第６の発明にあっては、
第１、第２、第３、第４または第５の発明に係る建築構造物用プランタユニットが建築構造物の一部を構成するように設けられていることを特徴とする、建築構造物である。
【００１４】
建築構造物としては、例えば部屋の間仕切りや壁、ベランダの手摺り、庭を囲む塀、門扉等であるが、これらに限定するものではない。
【００１５】
胴部および窓部の形状は、特に限定するものではない。例えば胴部の外形は、正面視で円形、楕円形、四角形や三角形等の多角形等である。また、窓部の外形も同様に正面視で円形、楕円形、四角形や三角形等の多角形等である。
胴部またはユニット全体の材料は、ＦＲＰ(fiber-reinforced plastics)を単独で使用する場合もあるし、合成樹脂、アルミニウムやステンレススチール等の金属、檜等の木等の材料と複合して使用する場合もある。
【００１６】
プランタ（栽培容器あるいは植栽容器ともいう）の形状も特に限定するものではない。例えば平面視で長方形のボックス状のもの、同じく円形や楕円形でボックス状のものが採用される。また、プランタは固定する構造でもよいし、着脱できる構造でもよい。
また、排水手段は、プランタの内部に溜まった水をユニット外部へ排出することができれば、その構造は特に限定するものではなく、公知の各種手段が採用できる。
【００１７】
取付手段または取付補助手段は、胴部（またはユニット）を建築構造物に取り付けることができれば、その構造は特に限定するものではない。例えば、建築構造物を構成する柱等に固定するためのネジ孔（または釘孔）を有するブラケットあるいは凹部と凸部を有する嵌め合い構造等である。
【００１８】
（作用）
本発明に係る建築構造物用プランタユニットは、できあがったものを建築構造物を構成するユニット（または部品）として施工するので、従来のように建築構造物の施工時においてつくり付ける場合と比較して、簡単にかつ短時間での施工が可能である。
また、建築構造物用プランタユニットは、ベランダの手摺りや塀等の建築構造物に施工することにより、建築構造物と一体となって建築構造物を構成する。これにより、ユニットの落下の危険はなく、建築構造物に安全な状態で花等を植栽し飾ることができる。
【００１９】
建築構造物用プランタユニットに設けられている窓部が建築構造物の表裏側を貫通するよう開口しているものは、プランタは少なくとも窓部の下部側または底部側に設けられているので、プランタが窓部の内外側のどちら側に設けられていても、プランタで植栽される花等は、プランタが設けられている側と反対側からでも窓部を通して見て楽しむことができる。
【００２０】
胴部が中空に形成されているものは、重量が軽くなるので、施工の際に必ずしもクレーン等の作業機械は必要でなく、大きさによっては作業者一人でも取り扱うことができる。
【００２１】
プランタの内部に溜まった水をユニット外部へ排出する排水手段を備えているものは、排水が良好に行われる。
窓部に格子が設けられているものは、格子が意匠的なアクセントとなって外観に優れる。また、格子は外部からの動物等の侵入を防止するとともに、窓部からの物の落下を防止する等の安全上の効果もある。
【００２２】
窓部が建築構造物の表裏側を貫通するよう開口しているものであって、窓部に格子が設けられているものは、格子が意匠的なアクセントとなって外観に優れる。また、格子は外部からの動物等の侵入を防止するとともに、窓部からの物の落下を防止できる。
【００２３】
所要数のプランタのうち、少なくとも一つが胴部の上部に設けられているものは、上部のプランタが建築構造物の上辺（上面）に表れるような施工が可能になり、上部のプランタで植栽している花等がいろいろな方向からよく見えるようになる。
【００２４】
建築構造物に取り付けるための取付手段または取付補助手段を備えているものは、ユニットの建築構造物への取り付けがより簡単にかつ確実にできるようになる。
【００２５】
【発明の実施の形態】
本発明を図面に示した実施の形態に基づき更に詳細に説明する。
図１は本発明に係る建築構造物用プランタユニットの第１の実施形態を示す正面側斜視図、
図２は本発明に係る建築構造物用プランタユニットの第１の実施形態を示す背面側斜視図、
図３は第１の実施形態に係る建築構造物用プランタユニットの縦断面図である。
【００２６】
建築構造物用プランタユニットＡ１は、胴部１と、窓部２と、窓部プランタ３と、上部プランタ４と、排水装置５と、取付ブラケット６を備えており、例えばベランダの側壁や塀に施工するもので、各プランタで植栽した花等の植物を壁面等に飾ることができるものである。
【００２７】
胴部１は、ＦＲＰ(fiber-reinforced plastics)で全体的に中空形状につくられている。胴部１は、円柱面状に湾曲した正面板１１と、その両側に設けられている側面板１２、１３と、その後部に設けられている背面板１４及び底面板１５を有している。胴部１の上面には、上部プランタ４が設けられている。上部プランタ４については、後で詳しく説明する。
【００２８】
胴部１には、正面板１１から背面板１４へ貫通して窓部２が設けられている。
窓部２は、側部と上部を構成する内面板２１と、底部を構成する窓部プランタ３で形成されている。
窓部２の底部（下部）には、平面視長方形状の窓部プランタ用の装着孔２２が設けられている。装着孔２２には、同じく平面視長方形のボックス状でプラスチック製の窓部プランタ３が嵌め込まれて接着により固定されている。
【００２９】
窓部プランタ３は、底部の一方側に排水孔３０が設けられており、排水孔３０には、ホース５２の一端部がつながれている。ホース５２の他端部は、背面板１４の下部の一端寄りに設けられているエルボ管５３につながれている。エルボ管５３によって、窓部プランタ３に溜まる水分を排出することができる。
なお、背面板１４に設けられている符号１７は、四角形の凹部形状を有する収容部であり、やや底部寄りに横方向に止め板１７０を備えている。収容部１７には、花等の植栽に使用する肥料や移植鏝等を収容することができる。
【００３０】
窓部２の前部側（外部側）には、三本のステンレススチール製のパイプ２３０からなる格子２３が設けられている。格子２３は、パイプの上下端部を窓部２の縁に固着して、パイプを垂直して平行に並設した構造である。
直線的な格子２３は、曲線部または曲面部が多い建築構造物用ユニットにおいて、意匠的なアクセントとなっており、建築構造物ユニットに対して美しい外観を与えている。
図３に示すように、胴部１の上部または天部には、前部が曲線的に形成された装着孔１６が設けられている。装着孔１６には、同じく前部が曲線的または曲面的に形成されたボックス状の上部プランタ４が嵌め込まれて、接着により固定されている。
【００３１】
上部プランタ４は、上部側に全周にわたりフランジ部４０が張り出して設けられている。また、フランジ部４０の垂下部４０ａの内面と正面板１１の外面との間には若干の隙間４１が設けられている。この隙間４１の作用により、フランジ部４０をつたう汚れた水は、垂下部４０ａの下端からそのまま滴下し、胴部１の表面をつたって流れることがないので、正面板１１や側面板１２、１３及び背面板１４の汚れが防止できる。
上部プランタ４の底部の一方側には排水孔４２が設けられており、排水孔４２には、ホース５１の一端部がつながれている。ホース５１の他端部は、胴部１の中空部を通って下方へ延長されており、上記エルボ管５３につながれている。
【００３２】
側面板１２、１３には、それぞれ上下二箇所に、取付補助手段であるＬ板状の取付ブラケット６が横方向へ張り出して設けられている。各取付ブラケット６には、ネジ着用のネジ孔が設けられている。
なお、各取付ブラケット６を、当初は別体として用意しておき、施工現場の状況（建築構造物の柱の位置等）に合わせて、接着やネジ着等により任意の位置に取り付けるようにしてもよい。
【００３３】
また、上記建築構造物用プランタユニットＡ１では、窓部２が表裏側を貫通して設けられているが、窓部のように貫通させないで正面側や背面側に凹部を設けることもできる。この場合、凹部の正面から見た形状は特に限定しない。また、凹部の底面は、例えば平坦にして載置部を設け、別に用意したプランタや鉢を載せるようにすることもできる。載置部にはへこみを設けてプランタや鉢を動かないように嵌め込むようにしてもよいし、へこみ部分自体をプランタとすることもできる。
なお、凹部の底面にへこみを設けた場合は、上記建築構造物用プランタユニットＡ１と同様に排水孔等の排水手段を設けてもよい。
【００３４】
（作  用）
図４は第１の実施形態に係る建築構造物用プランタユニットの施工状態を示す斜視説明図である。
図１ないし図４を参照して、本実施の形態に係る建築構造物用プランタユニットＡ１の作用を説明する。
【００３５】
建築構造物用プランタユニットＡ１は、建築物のベランダの側壁（手摺ということもある）７に、側壁７の一部を構成するように施工されている。建築構造物用プランタユニットＡ１は、上記のようにベランダの側壁７に施工することにより、側壁７と一体となって建築構造物Ｂ１を構成する。
施工時においては、取付ブラケット６を側壁７を構成する柱や他の部材にネジ着して固定し、その後外壁面を仕上げる。
【００３６】
建築構造物用プランタユニットＡ１は、湾曲した正面板１１が側壁７の外面側に表れるように、背面板１４が側壁７の内面側に表れるように、かつ上部プランタ４が基部７の上面とほぼ面一になるように施工してある。
また、建築構造物用プランタユニットＡ１は、できあがったものを側壁７を構成するユニットとして施工するので、従来のようにプランタを側壁７の施工時においてつくり付ける場合と比較して、簡単にかつ短時間で施工できる。
【００３７】
建築構造物Ｂ１においては、建築構造物用プランタユニットＡ１に設けられている窓部２が建築構造物Ｂ１の表裏側を貫通するよう開口している。また、窓部プランタ３は窓部２の下部側（底部側）に設けられているので、窓部プランタ３で植栽される花等は、窓部プランタ３が設けられている側からだけではなく、反対側の外面側からでも窓部２を通して見て楽しむことができる。
【００３８】
上部プランタ４は側壁７の上面に表れるので、植栽される花等をいろいろな方向から楽しむことができる。なお、窓部プランタ３と上部プランタ４に花等を植栽しないときは、蓋をすることができるようにしてもよい。また、各プランタを単に物入れとして使用してもよい。
窓部プランタ３は、窓部２の内部にあり、夜露に当たりにくいので、夜露を嫌う花等の植物の植栽に適している。また、窓部２を通る風が花の香りを効率よく運ぶので、周囲では花の香りも十分に楽しむことができる。
【００３９】
使用において、窓部プランタ３と上部プランタ４の内部に溜まった水は、それぞれホース５１、５２を通ってエルボ管５３からユニット外部へ排出され、排水が良好に行われる。なお、ホース５１、５２とエルボ管５３によって排水装置５が構成されている。
窓部２には格子２３が設けられているので、曲線部や曲面部が多いユニットの中で、直線状の格子２３が意匠的なアクセントとなっている。また、格子２３は外部からの動物等の侵入を防止するとともに、窓部２からの物の落下を防止する等の安全上の効果もある。
【００４０】
図５は本発明に係る建築構造物用プランタユニットの第２の実施形態を示す正面側斜視図、
図６は第２の実施形態に係る建築構造物用プランタユニットの縦断面図である。
なお、図５、図６において、上記建築構造物用プランタユニットＡ１と同一または同等箇所には同一の符号を付して示し、構造について重複する説明は省略する。
【００４１】
本実施の形態に係る建築構造物用プランタユニットＡ２は、窓部２の大きさは同程度であるが、全体的には上記建築構造物用プランタユニットＡ１より小さく形成されている。
胴部１の正面側は、円柱面状に湾曲した下部正面板１１ａと逆Ｕ字状で垂直な上部正面部１１ｂにより構成されている。窓部２は、上部正面部１１ｂから背面板１４へ貫通して設けられている。
【００４２】
窓部２の前部側（外部側）には、三本のステンレススチール製のパイプ２３０からなる格子２３ａが設けられている。格子２３ａは、パイプの上端部を窓部２の上部縁に固着し、下端部を下部正面板１１ａの上面１１０に固着して傾斜させて並設した構造である。
直線的な格子２３ａは、曲線部や曲面部が多いユニットにおいて、意匠的なアクセントとなっており、ユニットに美しい外観を与えている。
【００４３】
（作  用）
図７は第２の実施形態に係る建築構造物用プランタユニットの施工状態を示す正面視説明図である。
図５ないし図７を参照して、本実施の形態に係る建築構造物用プランタユニットＡ２の作用を説明する。
【００４４】
建築構造物用プランタユニットＡ２は、コンクリートブロック製の塀８と木製の門扉９にそれぞれ一体となって設けられており、これにより建築構造物Ｂ２、Ｂ３が形成されている。建築構造物用プランタユニットＡ２の施工時においては、塀８では取付ブラケット６をコンクリートに埋めるようにし、門扉９では枠部材にネジ着して取り付けている。
なお、施工後のその他の作用については、上記建築構造物用プランタユニットＡ１とほぼ同様であるので、説明は省略する。
【００４５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４６】
【発明の効果】
本発明は上記構成を備え、次の効果を有する。
（ａ）本発明に係る建築構造物用プランタユニットは、できあがったものを建築構造物を構成するユニット（または部品）として施工するので、従来のように建築構造物の施工時においてつくり付ける場合と比較して、簡単にかつ短時間での施工が可能である。
【００４７】
（ｂ）建築構造物用プランタユニットは、ベランダの手摺りや塀等の建築構造物に施工することにより、建築構造物と一体となって建築構造物を構成する。これにより、ユニットの落下の危険はなく、建築構造物に安全な状態で花等を植栽し飾ることができる。
【００４８】
（ｃ）建築構造物用プランタユニットに設けられている窓部が建築構造物の表裏側を貫通するよう開口しているものは、プランタは少なくとも窓部の下部側または底部側に設けられているので、プランタが窓部の内外側のどちら側に設けられていても、プランタで植栽される花等は、プランタが設けられている側と反対側からでも窓部を通して見て楽しむことができる。
【００４９】
（ｄ）胴部が中空に形成されているものは、重量が軽くなるので、施工の際に必ずしもクレーン等の作業機械は必要でなく、大きさによっては作業者一人でも取り扱うことができる。
【００５０】
（ｅ）プランタの内部に溜まった水をユニット外部へ排出する排水手段を備えているものは、排水が良好に行われる。
窓部に格子が設けられているものは、格子が意匠的なアクセントとなって外観に優れる。また、格子は外部からの動物等の侵入を防止するとともに、窓部からの物の落下を防止する等の安全上の効果もある。
【００５１】
（ｆ）窓部が建築構造物の表裏側を貫通するよう開口しているものであって、窓部に格子が設けられているものは、格子が意匠的なアクセントとなって外観に優れる。また、格子は外部からの動物等の侵入を防止するとともに、窓部からの物の落下を防止できる。
【００５２】
（ｇ）所要数のプランタのうち、少なくとも一つが胴部の上部に設けられているものは、上部のプランタが建築構造物の上辺（上面）に表れるような施工が可能になり、上部のプランタで植栽している花等がいろいろな方向からよく見えるようになる。
【００５３】
（ｈ）建築構造物に取り付けるための取付手段または取付補助手段を備えているものは、ユニットの建築構造物への取り付けがより簡単にかつ確実にできるようになる。
【図面の簡単な説明】
【図１】本発明に係る建築構造物用プランタユニットの第１の実施形態を示す正面側斜視図。
【図２】本発明に係る建築構造物用プランタユニットの第１の実施形態を示す背面側斜視図。
【図３】第１の実施形態に係る建築構造物用プランタユニットの縦断面図。
【図４】第１の実施形態に係る建築構造物用プランタユニットの施工状態を示す斜視説明図。
【図５】本発明に係る建築構造物用プランタユニットの第２の実施形態を示す正面側斜視図。
【図６】第２の実施形態に係る建築構造物用プランタユニットの縦断面図。
【図７】第２の実施形態に係る建築構造物用プランタユニットの施工状態を示す正面視説明図。
【符号の説明】
Ａ１、Ａ２  建築構造物用プランタユニット
１  胴部
１１  正面板
１１ａ  下部正面板
１１ｂ  上部正面部
１１０  上面
１２、１３  側面板
１４  背面板
１５  底面板
１６  装着孔
１７  収容部
１７０  止め板
２  窓部
２１  内面板
２２  装着孔
２３、２３ａ  格子
３  窓部プランタ
３０  排出孔
４  上部プランタ
４０  フランジ部
４０ａ  垂下部
４１  隙間
４２  排出孔
５  排水装置
５２、５１  ホース
５３  エルボ管
６  取付ブラケット
７  側壁
Ｂ１、Ｂ２、Ｂ３  建築構造物
８  塀
９  門扉
【図１】
0003569271.tif 000002
【図２】
0003569271.tif 000003
【図３】
0003569271.tif 000004
【図４】
0003569271.tif 000005
【図５】
0003569271.tif 000006
【図６】
0003569271.tif 000007
【図７】
0003569271.tif 000008